(57)【要約】【課題】  気液混合タンク内に充填された水素ガスを安全に廃棄することができるようにする。【解決手段】  電動二方弁２０を開いて循環ポンプ１９を稼働させ、水素ガスの残っている気液混合タンク１２に浴槽１３内の浴水を加圧注入する。給水ノズル１７から気液混合タンク１２内に浴水を注入すると、水素ガスを溶解させた浴水が気液混合タンク１２内に溜まる。ついで、第１の電動三方弁２５を排水管２４側で開き、水素ガスを溶解させた浴水を排水管２４から徐々に下水道などへ排出させる。【選択図】      図１
2006122835.tif 000002
【特許請求の範囲】
【請求項１】
水素ガスが充填された気液混合タンク内に水を供給することによって気液混合タンク内の水素ガスを水に溶解させた後、水素ガスが溶解した水を気液混合タンクの外部へ排水することを特徴とする水素水廃棄処理方法。
【請求項２】
水素ガスを充填された気液混合タンクに水を注入する第１の水流路と、気液混合タンク内で水素ガスを溶解された水を供給する第２の水流路と、前記両水流路及び気液混合タンクに水を通過させるためのポンプとを備えた水素水供給装置において、
水素ガスが充填された気液混合タンク内に供給され、気液混合タンク内で水素ガスを溶解させられた水を、排水管から気液混合タンクの外部へ排水する手段を備えたことを特徴とする水素水供給装置。
【請求項３】
前記気液混合タンクは、第１の水流路及び第２の水流路によって浴槽と接続されていることを特徴とする、請求項２に記載の水素水供給装置。
【発明の詳細な説明】
【技術分野】
【０００１】
本発明は、水素ガスを含んだ水素水を安全に廃棄することができる水素水廃棄処理方法及び水素水供給装置に関する。
【背景技術】
【０００２】
浴槽内の湯に水素ガスを溶解させて浴槽内に環流させるようにした水素還元水処理装置として、本願の出願人が先に特許出願したものがある（特許文献１）。この装置にあっては、浴槽に接続された浴水循環路に循環ポンプと気液混合タンクを設けている。そして、循環ポンプを運転して浴槽内の浴水を循環させると共に、水素ボンベから供給された水素ガスを気液混合タンク内で浴水に溶解させ、水素ガスの溶け込んだ浴水を浴槽内に環流させている。
【０００３】
特許文献１にも記載しているように、水素還元水は、雑菌繁殖防止効果があり、浴槽等のぬめり防止に効果的であり、また、ＳＯＤ（活性酸素除去酵素）活性は、人の健康増進に寄与する。特に、活性水素を含む水は、還元性を示すと共に、ＳＯＤ様活性を呈するので、過酸化脂質等（人が紫外線を浴びることで生成される。）の皮膚の老化促進物質を無害化し、また飲用しても万病に効果がある。
【０００４】
従って、上記装置を用いて水素還元水や活性水素を含む水を浴槽内に供給することにより、浴槽のぬめりを抑えると共に、入浴者の美容や健康増進に寄与することができる。
【０００５】
しかしながら、気液混合タンク内に充填された水素ガスが完全に消費されることなく、水素還元水処理装置の運転が終了した場合には、次回まで水素ガスを残しておかずに廃棄処理したい場合がある。そのような場合、気液混合タンク内の水素ガスを大気中に一度に放出すると、水素ガスと空気中の酸素とが混合して燃焼・爆発の危険性がある。従って、残った水素ガスを安全に廃棄処理する方法が求められていた。
【０００６】
【特許文献１】特開２００４−６６０７１号公報
【発明の開示】
【発明が解決しようとする課題】
【０００７】
本発明の目的とするところは、気液混合タンク内の水素ガスを安全に廃棄することができる水素水廃棄処理方法と水素水供給装置を提供することにある。
【課題を解決するための手段】
【０００８】
本発明の請求項１にかかる水素水廃棄処理方法は、水素ガスが充填された気液混合タンク内に水を供給することによって気液混合タンク内の水素ガスを水に溶解させた後、水素ガスが溶解した水を気液混合タンクの外部へ排水することを特徴としている。
【０００９】
気液混合タンク１２内に充満した水素ガスを気体のまま大気に放出すると、一気に放出されて水素濃度が可燃範囲になる可能性が高く、水素ガスが燃焼又は爆発する危険性があるが、本発明の請求項１にかかる水素水廃棄処理方法にあっては、気液混合タンク内の水素ガスを溶解させて排水しているので、水と共に水素を少しずつ気液混合タンクから外部に排出することができる。また、本発明の方法によれば、水素ガスが水に溶解しているので、気体として空気中に出てくるまでに時間が掛かると共に、水があるために気体温度が低く、燃焼又は爆発の危険性が非常に低くなる。
【００１０】
本発明の請求項２にかかる水素水供給装置は、水素ガスを充填された気液混合タンクに水を注入する第１の水流路と、気液混合タンク内で水素ガスを溶解された水を供給する第２の水流路と、前記両水流路及び気液混合タンクに水を通過させるためのポンプとを備えた水素水供給装置において、水素ガスが充填された気液混合タンク内に供給され、気液混合タンク内で水素ガスを溶解させられた水を、排水管から気液混合タンクの外部へ排水する手段を備えたことを特徴としている。
【００１１】
本発明の請求項２にかかる水素水供給装置にあっては、気液混合タンク内の水素ガスを溶解させて排水しているので、水と共に水素を少しずつ気液混合タンクから外部に排出することができる。また、本発明の方法によれば、水素ガスが水に溶解しているので、気体として空気中に出てくるまでに時間が掛かると共に、水があるために気体温度が低く、燃焼又は爆発の危険性が非常に低くなる。
【００１２】
本発明の請求項３の水素水供給装置にかかる実施態様は、前記気液混合タンクが、第１の水流路及び第２の水流路によって浴槽と接続されていることを特徴としている。
【００１３】
かかる実施態様においては、浴槽と気液混合タンクとの間で浴槽内の水が循環するので、気液混合タンク内で水素ガスを溶解された水が浴槽内に供給される。よって、浴槽内における雑菌繁殖防止、浴槽のぬめり防止に効果があり、また、ＳＯＤ様活性により入浴者の健康増進に寄与することができる。特に、この実施態様では、水素ガスは空気や酸素と遮断された状態で気液混合タンク内に充填されているので、水素ガスを溶解した水には美容等に有害とされる酸素（活性酸素）が含まれにくくなる。
【発明を実施するための最良の形態】
【００１４】
以下、本発明の実施例を図面に従って詳細に説明する。ただし、本発明は以下の実施例に限定されるものでなく、用途等に応じて適宜設計変更することができる。
【００１５】
図１は本発明の一実施例による水素水供給装置１１を示す概略断面図である。この水素水供給装置１１は、水素や活性水素を溶解させた水などの水素水を浴槽内に供給するように構成されている。図１を参照して、当該水素水供給装置１１の構造を説明する。
【００１６】
気液混合タンク１２は、水素ガスを充填しておき、そこに水（浴水）を落とし込んで撹拌することによって水に水素ガスを溶解させて水素水を生成する装置である。気液混合タンク１２と浴槽１３に設けたバスアダプター１４とは、吸込管１５と供給管１６とからなる浴水循環路によって繋がっている。吸込管１５はバスアダプター１４の吸込み口１４ａと気液混合タンク１２の上面に設けられた給水ノズル１７との間を結んでおり、吸込管１５には循環ポンプ１９、水流スイッチ１８及び電動二方弁２０が設けられている。供給管１６はバスアダプター１４の圧力解放ノズル１４ｂと気液混合タンク１２の底面との間を結んでいる。また、バスアダプター１４内において、圧力解放ノズル１４ｂの前方には、セラミック等の材料からなる多孔質体２１が設けられている。
【００１７】
気液混合タンク１２は、タンク内の液面（水位）を検出するための液面検出器（水位電極）２２を備えている。また、気液混合タンク１２内の底面近傍には、タンク底面を覆うようにして邪魔板が２３が設けられており、給水ノズル１７から供給された浴水が直ちに供給管１６から排出されるのを防いでいる。さらに、気液混合タンク１２内には上下方向に沿ってタンク排水管４４が納められており、タンク排水管４４の下端は気液混合タンク１２の底面近傍に位置している。タンク排水管４４の上端部は、気液混合タンク１２の壁面を貫通して外部に出ており、気液混合タンク１２の外部においてタンク排水管４４にはタンク排水電磁弁４５が設けられている。
【００１８】
気液混合タンク１２の下方において、供給管１６には第１の電動三方弁２５が設けられており、第１の電動三方弁２５からは排水管２４が分岐している。第１の電動三方弁２５は、気液混合タンク１２側で常開となっており、バスアダプター１４側で開いて排水管２４側で閉じた状態と、バスアダプター１４で閉じて排水管２４側で開いた状態と、バスアダプター１４側と排水管２４側の双方で閉じた状態とに切り替えられるようになっている。
【００１９】
電解槽２６は、水を電気分解して水素ガスと酸素ガスを発生させるものである。電解槽２６は、電解質膜３１によって左右に仕切られている。この電解質膜３１は、水は透過させるが、水素ガスや酸素ガスは透過させない特性を有するものである。電解槽２６の一方の室（以下、右室という。）には陰電極３２ａが設けられており、他方の室（以下、左室という。）には陽電極３２ｂが設けられている。
【００２０】
電解槽２６の右室上面と気液混合タンク１２内の上面とは、水素ガス供給管２７によってつながっており、電解槽２６の右室と気液混合タンク１２内とは互いに連通している。水素ガス供給管２７の途中には第２の電動三方弁２８が設けられており、第２の電動三方弁２８からは排気管２９が分岐し、排気管２９の先端にはエアベント３０が設けられている。第２の電動三方弁２８は、気液混合タンク１２側で常開となっており、電解槽２６側が開成されエアベント３０側が閉止された状態と、電解槽２６側が閉止されエアベント３０側が開成された状態と、電解槽２６側及びエアベント３０側の双方で閉止された状態とに切り替わる。また、電解槽２６は、内部の水位を検出するための液面検出器（水位電極）３４を備えている。
【００２１】
一方、電解槽２６の左室上面には酸素排気口３３が設けられており、酸素排気口３３は大気中に開放されている。入水側が市水等につながった給水管３５の先端（吐出口）は、ロート状に開いた酸素排気口３３の垂直上方に位置しており、給水管３５には上流側から順次、フィルタ３６、イオン交換樹脂３７及び補水電磁弁３８が設けられており、給水管３５から電解槽２６には純水を供給できるようにしている。
【００２２】
水素水供給装置１１は屋外に設置されており、内蔵のコントローラ３９（制御手段）によって運転制御される。リモコン４０は、遠隔から水素水供給装置１１を操作するものであり、水素運転スイッチ４２や水素運転取止めスイッチ４３を備えている。リモコン４０とコントローラ３９は、信号線４１を通じて接続されている。水素運転スイッチ４２は、気液混合タンク１２内で水に水素ガスを溶解させる水素運転を開始したり、停止させたりするためのスイッチであり、水素運転取止めスイッチ４３は、気液混合タンク１２内に残っている水素ガスを廃棄するためのスイッチである。
【００２３】
図２は水素水供給装置１１における、コントローラ３９を中心とする電気的な構成を示す機能ブロック図である。コントローラ３９は、ＲＯＭ、ＥＥＰＲＯＭ等のメモリに格納されている運転処理のプログラムに従って水素水供給装置１１をマイコン制御するものである。すなわち、図２に示すように、コントローラ３９は、水素運転スイッチ４２、水素運転取止めスイッチ４３、液面検出器２２及び液面検出器３４からの信号を受け取り、それに応じて所定の手順で循環ポンプ１９、第１の電動三方弁２５、第２の電動三方弁２８、電動二方弁２０、タンク排水電磁弁４５、補水電磁弁３８、電解槽２６の両電極３２ａ、３２ｂの印加電圧を制御することにより水素ガスを発生させて気液混合タンク１２内に水素ガスを充填させ、また、気液混合タンク１２内で水素水を製造し、あるいは、気液混合タンク１２内の水素ガスを廃棄処理する。
【００２４】
図３はコントローラ３９による水素水供給装置１１の水素水供給動作を表わしたフロー図である。以下、図３に従って水素水供給装置１１における水素運転開始から運転終了までを説明する。水素水供給装置１１の水素運転停止中においては、循環ポンプ１９は停止しており、第１の電動三方弁２５はバスアダプター１４側と排水管２４側とで閉じており、第２の電動三方弁２８はエアベント３０側と電解槽２６側とで閉じており、電動二方弁２０、タンク排水電磁弁４５及び補水電磁弁３８はいずれも閉じている。また、気液混合タンク１２内は空になっている（つまり、空気が充満している）ものとする。
【００２５】
リモコン４０の水素運転スイッチ４２が押されてオンになると（ステップＳ１１）、水素水供給装置１１は、図３のフロー図に従って運転を開始する。水素水供給装置１１の運転が開始すると、まず循環ポンプ１９が運転を開始する（ステップＳ１２）。これと同時に第１の電動三方弁２５がバスアダプター１４側で開となり排水管２４側で閉じるように切り替えられ、第２の電動三方弁２８がエアベント３０側で開となるように切り替えられて気液混合タンク１２と電解槽２６が遮断され（ステップＳ１３）、電動二方弁２０が開かれる（ステップＳ１４）。
【００２６】
こうして循環ポンプ１９が運転を開始すると、浴槽１３内の浴水が吸込み口１４ａから吸込管１５内に吸い込まれ、給水ノズル１７から気液混合タンク１２内に落とし込まれる。このとき、第２の電動三方弁２８はエアベント３０側で開いているので、気液混合タンク１２内に浴水が落とし込まれた分だけ、気液混合タンク１２内の空気はエアベント３０から大気中に排出され、次第に気液混合タンク１２内の水位が上昇する。
【００２７】
こうして気液混合タンク１２内に浴水が落とし込まれる一方で、コントローラ３９は液面検出器２２によって気液混合タンク１２内の水位を検知し、気液混合タンク１２内が満水になったか否かを監視している（ステップＳ１５）。
【００２８】
気液混合タンク１２内が満水になり、気液混合タンク１２内の空気がすべて外部へ排出されると、循環ポンプ１９が停止され（ステップＳ１６）、電動二方弁２０が閉止される（ステップＳ１７）。また、第１の電動三方弁２５はバスアダプター１４側と排水管２４側の双方で閉じられる、第２の電動三方弁２８は電解槽２６側で開となるように切替えられ、エアベント３０側は閉じられる（ステップＳ１８）。
【００２９】
ついで、コントローラ３９は、電解槽２６の陰電極３２ａと陽電極３２ｂとの間に直流電圧を印加して通電させる（ステップＳ１９）。ただし、液面検出器３４により電解槽２６内の水位が一定水位以下であることを検知した場合には、補水電磁弁３８を開いて給水管３５から電解槽２６内に補水させ、電解槽２６内に所定水位以上の水が供給されたら補水電磁弁３８を閉じる。
【００３０】
電解槽２６の両電極３２ａ、３２ｂ間に通電すると、電解槽２６内の水が電気分解されて水素ガスと酸素ガスが発生し、発生した水素ガスと酸素ガスは、電解質膜３１によって右室と左室に分離される。左室で発生した酸素ガスは酸素排気口３３から外部へ逃げ大気中に放出される。
【００３１】
電解槽２６の右室では水素ガスが発生するが、このときまだ電動二方弁２０とタンク排水電磁弁４５は閉じており、第１の電動三方弁２５はバスアダプター１４側でも排水管２４側でも閉じているので、満水の気液混合タンク１２内に水素ガスを供給することはできない。従って、電解槽２６の両電極３２ａ、３２ｂに通電した後、タンク排水電磁弁４５を開く（ステップＳ２０）。
【００３２】
気液混合タンク１２は水素ガス供給管２７とタンク排水電磁弁４５以外は閉じているので、水素ガス供給管２７を通じて電解槽２６から水素ガスが供給された分だけ気液混合タンク１２内の水がタンク排水管４４の先から下水道に排水される。
【００３３】
こうして気液混合タンク１２内の水は、次第に電解槽２６で発生した水素ガスに置換されていき、気液混合タンク１２内の水はタンク排水管４４から排水されて水位が下がっていく。そして、液面検出器２２により気液混合タンク１２内が一定水位（あるいは、一定水量）以下になったことを検知すると（ステップＳ２１でYESの場合）、気液混合タンク１２内に水素ガスが充填されたと判断して電解槽２６における両電極３２ａ、３２ｂ間の通電を停止して水の電気分解を止める（ステップＳ２２）。こうして、気液混合タンク１２内の大部分は水素ガスで占められる。但し、タンク排水管４４から気液混合タンク１２内に空気が流入しないように気液混合タンク１２内の水は完全には排水しない。
【００３４】
このようにして気液混合タンク１２内に水素ガスを充填すれば、電解槽２６で発生した水素ガスが空気や酸素と触れることなく気液混合タンク１２内に充填され、気液混合タンク１２内で浴水に溶解されるので、水素ガスが酸素と反応して燃焼したり爆発したりする恐れが無く、水素水供給装置１１の安全性を高めることができる。
【００３５】
この後、第１の電動三方弁２５を切り替えてバスアダプター１４側で開き、第２の電動三方弁２８を切替えて電解槽２６側でもエアベント３０側でも閉止状態とし（ステップＳ２３）、タンク排水電磁弁４５を閉じる（ステップＳ２４）。ついで、電動二方弁２０を開き（ステップＳ２５）、循環ポンプ１９をオンにする（ステップＳ２６）。
【００３６】
このとき第２の電動三方弁２８が電解槽２６側でもエアベント３０側でも閉じており、タンク排水電磁弁４５も閉じているので、循環ポンプ１９が稼働すると、気液混合タンク１２と浴槽１３との間で浴水が循環し、水素ガスが溶解した水素水が浴槽１３に環流される。すなわち、循環ポンプ１９が稼働されると、浴槽１３内の浴水はバスアダプター１４の吸込み口１４ａから吸込管１５に吸い込まれ、給水ノズル１７から気液混合タンク１２内に落とし込まれる。このとき気液混合タンク１２内の浴水が撹拌されて水素ガスが浴水内に溶解され、水素ガスを溶解した浴水が気液混合タンク１２内に溜まる。一方、気液混合タンク１２内に溜まっている水素ガスを溶解した浴水は、供給管１６から浴槽１３へ送り出され、バスアダプター１４の圧力解放ノズル１４ｂから多孔質体２１を通して細かな噴流として浴槽１３内に吐出される。
【００３７】
こうして気液混合タンク１２内の水素ガスが浴水に溶解すると、気液混合タンク１２内の水素ガスが消費されて気液混合タンク１２内の水位が上昇する。そして、液面検出器２２によって気液混合タンク１２内が満水であると判断されると、循環ポンプを停止させ、電動二方弁２０を閉じると共に第１の電動三方弁２５をバスアダプター１４側と排水管２４側で閉じ、水素水供給装置１１の運転を終了する。あるいは、気液混合タンク１２内が満水になったら、再びステップＳ１６以下の動作を繰り返すようにしてもよい。
【００３８】
こうして水素運転が行なわれた後、リモコン４０の水素運転スイッチ４２が再度押されて水素運転スイッチ４２がオフ（ステップＳ２７）になると、循環ポンプ１９が停止する（ステップＳ２８）。そして、電動二方弁２０が閉じられると共に、第１の電動三方弁２５がバスアダプター１４側と排水管２４側とで閉じられる。
【００３９】
上記のようにして水素運転を停止しても、気液混合タンク１２内の水素ガスが使い切られていない場合には、気液混合タンク１２内に水素ガスが残っている。しかし、気液混合タンク１２内に残った水素ガスは廃棄しておきたい場合がある。例えば就寝前には、安全のために気液混合タンク１２内の水素ガスを抜いて気液混合タンク１２内を空にしておくことが望ましい。そのため、この水素水供給装置１１には、リモコン４０に水素運転取止めスイッチ４３が設けてあり、水素運転取止めスイッチ４３を押すと気液混合タンク１２内の水素ガスが廃棄される。
【００４０】
図４は水素運転取止めスイッチ４３を押して気液混合タンク１２内の水素ガスを廃棄する処理を実行する際の工程を示すフロー図である。以下、水素ガスの廃棄処理を図４のフロー図に従って説明する。
【００４１】
リモコン４０の水素運転取止めスイッチ４３が押されると（ステップＳ３１）、液面検出器２２によって気液混合タンク１２内の水位が検知され（ステップＳ３２）、それによって気液混合タンク１２内に残っている水素ガスの容量が計測され、気液混合タンク１２内に水素ガスが残っているか否か判断される（ステップＳ３３）。このとき気液混合タンク１２内に水素ガスが残っていないと判断された場合には、そのまま処理を終了する。
【００４２】
気液混合タンク１２内に水素ガスが残っている場合には、入浴中であるかどうか判定する（ステップＳ３４）。入浴中であるかどうか判定するためには、風呂給湯装置の電源がオンになっているかどうかによって判断するのが好ましいが、それ以外にも入浴者の事故を監視するための風呂監視装置が浴室に設置されている場合には、風呂監視装置によって判定するようにしてもよい。
【００４３】
入浴者がいる場合には入浴が終わるまで待機し、入浴が終わったと判断したら、電動二方弁２０を開く（ステップＳ３５）。このとき、第１の電動三方弁２５はバスアダプター１４側でも排水管２４側で閉じており、第２の電動三方弁２８は電解槽２６側でもエアベント３０側でも閉じており、タンク排水電磁弁４５も閉じている。
【００４４】
ついで、循環ポンプ１９をオンにして稼働させる（ステップＳ３６）と、浴槽１３内の浴水はバスアダプター１４の吸込み口１４ａから吸込管１５に吸い込まれ、給水ノズル１７から気液混合タンク１２内に落とし込まれる。こうして気液混合タンク１２内に浴水が加圧注入されることにより、気液混合タンク１２内の水素ガスが浴水内に強制的に溶解させられる。こうして水素ガスを溶解させた浴水は、気液混合タンク１２内に溜められる。
【００４５】
こうして水素ガスが浴水に溶解していくにつれて気液混合タンク１２内の水位が上昇していくので、気液混合タンク１２内の水位を液面検出器２２で検出することにより（ステップＳ３７）、気液混合タンク１２内に溶け残っている水素ガスの容量を判定することができる。よって、気液混合タンク１２内の水位を検出することによって気液混合タンク１２内の水素ガス残量を監視し（ステップＳ３８）、気液混合タンク１２内に溶け残っている水素ガスがほとんどなくなったと判定すると、循環ポンプ１９を停止し（ステップＳ３９）、電動二方弁２０を閉じる（ステップＳ４０）。
【００４６】
つぎに、第１の電動三方弁２５を排水管２４側で開となるように切替えると共に、第２の電動三方弁２８をエアベント３０側で開となるように切り替え（ステップＳ４１）、気液混合タンク１２内の水素ガスを溶解させられた浴水を排水管２４から排出する。
【００４７】
こうして気液混合タンク１２内の浴水を排出しながら気液混合タンク１２内の水位を監視しながら（ステップＳ４２）、気液混合タンク１２内に浴水が残っているかどうか判定する（ステップＳ４３）。そして、気液混合タンク１２内が空になったと判断すれば、第１の電動三方弁２５をバスアダプター１４側と排水管２４側とで閉じると共に、第２の電動三方弁２８を電解槽２６側とエアベント３０側とで閉じ（ステップＳ４４）、水素運転取り止めの処理を終了する。
【００４８】
気液混合タンク１２内に充満した水素ガスを気体のまま大気に放出すると、一気に放出されて水素濃度が可燃範囲になる可能性が高く、水素ガスが燃焼又は爆発する危険性があるが、本発明のように水素ガスを水に溶解させて徐々に排水することにより、気液混合タンク１２から外部に排出される水素の量を少しずつにすることができる。また、本発明の方法によれば、水素ガスが水に溶解しているので、気体として空気中に出てくるまでに時間が掛かると共に、水があるために気体温度が低く、燃焼又は爆発の危険性が非常に低くなる。
【００４９】
なお、電解槽２６内の水素ガス容量は、気液混合タンク１２に比べて小さいので、電解槽２６内に残っている水素ガスはそのまま放置しておいてもよい。あるいは、電解槽２６側の右室にも水素ガス放出用の排気口を設けておき、当該排気口を開いて残った水素ガスを大気中に放出するようにしてもよい。
【００５０】
しかし、電解槽２６内に残った水素ガスも安全に処理する場合には、水素運転取止めスイッチ４３をオンにした直後に（図４のステップＳ３１とＳ３２との中間において）、第２の電動三方弁２８を電解槽２６側で開となるように切替えてから給水管３５から電解槽２６内に水を注入し、電解槽２６内の水素ガスを気液混合タンク１２内へ排出しておけばよい。この後、図４のステップＳ３２以下の処理を実行すれば、電解槽２６内に残っていた水素ガスも気液混合タンク１２側で安全に処理することができる。
【００５１】
上記実施例の変形例としては、水素ガス充填前に気液混合タンク１２内に充満させる水や水素ガスを廃棄する際に気液混合タンク１２に供給する水は、浴槽から得るのでなく、給水管等から供給するようにしてもよい。また、上記実施例では、初めに気液混合タンク１２内は空になっていると仮定したが、気液混合タンク１２内に水が残っている場合には、その水は排水することなく、そこに補水するようにすればよい。特に、気液混合タンク１２内の水素ガスを使い切った場合には、気液混合タンク１２内は水が充満しているので、その場合には、図３のステップＳ１４から始めるようにすればよい。
【００５２】
また、上記実施例では、タンク排水管４４と排水管２４とは別々に設けていたが、いずれか一方のみを設けて共用させるようにしてもよい。
【００５３】
また、気液混合タンク１２や電解槽２６の水位検出手段としては、水位電極を用いた液面検出器に限ることはなく、水位を知ることができれば他の手段を用いてもよい。また、気液混合タンク１２内に水素ガスを充填する際、上記実施例では、気液混合タンク１２内の水は排水管２４から排水したが、この水は供給管１６から浴槽１３内へ排出してもよい。
【００５４】
また、上記実施例では、水素水供給装置を浴槽と組み合わせた場合について説明したが、本発明の用途は風呂システムに限られるものではなく、水素ガスを溶解させた液体や、水素水を製造する装置一般に用いることができる。
【図面の簡単な説明】
【００５５】
【図１】本発明の一実施例であって、浴槽用の水素水供給装置を示す概略断面図である。
【図２】同上の水素水供給装置のコントローラの働きを説明するための機能ブロック図である。
【図３】本発明の水素水供給装置を用いて水素水を供給する工程を説明するフロー図である。
【図４】本発明の水素水供給装置における水素運転取り止めの工程を説明するフロー図である。
【符号の説明】
【００５６】
１１  水素水供給装置
１２  気液混合タンク
１３  浴槽
１５  吸込管
１６  供給管
１９  循環ポンプ
２０  電動二方弁
２２  液面検出器
２４  排水管
２５  第１の電動三方弁
２６  電解槽
２７  水素ガス供給管
２８  第２の電動三方弁
２９  排気管
３０  エアベント
３４  液面検出器
３９  コントローラ
４０  リモコン
４２  水素運転スイッチ
４３  水素運転取止めスイッチ
４４  タンク排水管
４５  タンク排水電磁弁
【図１】
2006122835.tif 000003
【図２】
2006122835.tif 000004
【図３】
2006122835.tif 000005
【図４】
2006122835.tif 000006